(57)【特許請求の範囲】
【請求項１】
棒状の中間部の上方端部に操作つまみが装着される略円筒形の操作部を有した回転軸と、上記回転軸の上記中間部を支持する軸受を備え、上記回転軸の上記操作部を回転操作することで電気信号を発生する回転操作型電子部品であって、上記軸受は、上記中間部を突出させている上記軸受の上端から所定寸法下方位置の筒状部外周に環状肉盛部が設けられ、上記回転軸は、上記中間部の上方端部と上記操作部の内壁が薄肉の連結部を介して一体に形成されており、上記操作部は、その内径が上記環状肉盛部の外径より大径に設けられると共に、上記回転軸の上下移動の下端位置において、上記操作部の内面下端が、上記環状肉盛部の最大外径位置より下方に位置し、上記連結部の上下方向の厚みは上記環状肉盛部より上方の上記筒状部の外径より外方位置で最も薄肉になされていて、上記操作部に加わる上記回転軸の軸線方向からの所定以上の荷重に対し、上記連結部で破断するようになされていることを特徴とする回転操作型電子部品。
【請求項２】
請求項１に記載の回転操作型電子部品が搭載されて構成された電子機器であって、上記回転操作型電子部品の操作部に装着された操作つまみは、中央に下方開口の段付き凹部を有し、その段付き凹部の段部から下方が上記操作部に嵌め込まれ、上記段部から上方の凹部内径が、所定以上の荷重で破断する連結部位置より大径になされて、その段部から上方の凹部内の空間が、上記連結部での破断後における回転軸の中間部上方端部の逃げ部としてなる構成とされていることを特徴とする電子機器。
【発明の詳細な説明】
【技術分野】
【０００１】
本発明は、カーオーディオなどの車載用電子機器の入力操作部に使用される回転操作型電子部品およびそれを搭載した電子機器に関するものである。
【背景技術】
【０００２】
近年、車両運転者や同乗者の安全を確保するために、車載用の各種電子機器においても安全性向上に関する要望が多くなっている。
【０００３】
このような電子機器の入力操作部に使用される回転操作型電子部品として、従来の回転操作型エンコーダについて、図１０を用いて説明する。
【０００４】
図１０は従来の回転操作型エンコーダの断面図であり、同図において、１は上方開口の絶縁樹脂製のケースで、開口凹部底面の中央位置にはプッシュオンスイッチ用の一対の固定接点２が設けられており、その周囲位置を囲んで設けられている円筒状の円筒壁１Ａの外周位置底面部には、詳細な図示は省略するが、インクリメンタル式エンコーダ用の接点パターン３が構成されている。そして、上記固定接点２、接点パターン３それぞれに電気的に導通した各端子４はケース１の外方へ延出されている。
【０００５】
また、プッシュオンスイッチ用の一対の固定接点２は、中央に配された中央固定接点２Ａとそれに間隔をあけて外側に配された外側固定接点２Ｂからなり、その外側固定接点２Ｂ上に外周部が載置され中央部が中央固定接点２Ａと間隔をあけて対峙する可動接点５が組み合わされている。さらに、その可動接点５の外周部上には、中央の円柱部６Ａとその円柱部６Ａ下部から下方開口の円錐状部６Ｂが設けられたシリコンゴムなどからなる弾性体６が載せられ、その円錐状部６Ｂが上記円筒壁１Ａの内側面で位置規制されてプッシュオンスイッチ部が構成されている。
【０００６】
７は、円筒部７Ａの下方に円形のフランジ部７Ｂを有した回転体で、その中央孔は非円形の孔形状で設けられている。フランジ部７Ｂ下面には摺動子８が備えられており、この摺動子８の先端が上記ケース１の接点パターン３上に弾接してインクリメンタル式エンコーダ部が構成されている。
【０００７】
９は、鍔部９Ｂ下面がケース１の上面に載置されて配された軸受で、その中央位置には略円筒状で上方に突出する筒状部９Ｃを有し、その中孔９Ａの下方部分は大径のものとなっている。その大径部分に、上記回転体７の円筒部７Ａが回転可能に組み合わされている。
【０００８】
そして、１０は軸受９の上部に操作部１０Ａが位置し、操作部１０Ａより下方が軸受９の中孔９Ａに上方から挿入された略棒状の回転軸で、軸受９の中孔９Ａ上端で断面円形の中間部１０Ｂが嵌合されて、回転軸１０は回転動作と上下動作が可能になされている。また、中間部１０Ｂ下方の係合部１０Ｃが、駆動駒１１の非円形孔に係合状態で挿通され、その下端が上記弾性体６の円柱部６Ａ上面に当接している。回転軸１０は上記弾性体６の弾性力で上方に付勢されている。
【０００９】
そして、駆動駒１１は、回転軸１０の係合部１０Ｃにカシメ固定されて、回転体７の円筒部７Ａ内に位置されており、回転軸１０が上方に付勢されていることによって駆動駒１１も上方に付勢されて回転体７の円筒部７Ａ内面に押し付けられている。これによって、回転軸１０は、弾性体６の弾性力による付勢状態で回転体７と係合されており、回転操作されると駆動駒１１を介して回転体７が回転される構成となっている。
【００１０】
また、１２はクリック用の板バネで、その曲げ部がフランジ部７Ｂ上面に設けられた凹凸部に弾接しており、回転体７の回転により板バネ１２の曲げ部が凹凸部を摺動してクリック節度を発生する。
【００１１】
そして、ケース１の上面に載置された軸受９の鍔部９Ｂ上面からケース１を抱え込むようにカバー１３が取り付けられて従来の回転操作型エンコーダは構成されている。
【００１２】
以上の構成において、回転軸１０の操作部１０Ａを回転操作すると、下方の係合部１０Ｃにカシメ固定された駆動駒１１を介して回転体７が回転され、回転体７のフランジ部７Ｂ下面に備えられた摺動子８がケース１の接点パターン３上を摺動して、インクリメンタルエンコーダ部の対応する端子４からパルス信号が得られる。そして、この回転体７の回転に伴ってフランジ部７Ｂ上面に設けられた凹凸部を摺動する板バネ１２により、クリック節度が発生する。
【００１３】
また、操作部１０Ａを押圧すると、回転軸１０が下方に移動していき、下方の係合部１０Ｃおよびそこに固定された駆動駒１１が、回転体７の非円形の中央孔内を下方に移動して、回転軸１０と回転体７との係合状態が解除されると共に、下端に当接している弾性体６の円柱部６Ａ上面を押圧する。その力が所定の押圧力を越えると、弾性体６の円錐状部６Ｂが弾力性をもって座屈変形し、それに伴って円柱部６Ａ下面に設けられた突起で可動接点５の中央部が押圧されて、上記中央部が対峙した中央固定接点２Ａに接触する。これにより、外側固定接点２Ｂと中央固定接点２Ａとの間が導通してプッシュオンスイッチ部がオン状態となる。なお、上記押圧操作時における上記回転軸１０の上下方向の動作時には回転体７は停止状態を保っている。
【００１４】
また、図１０に破線で示すように、この回転操作型エンコーダは、電子機器に搭載される際には、回転軸１０の操作部１０Ａに操作つまみ４０が取り付けられるものであり、電子機器の利用者は、操作つまみ４０を回転操作してインクリメンタルエンコーダ部を作動させ、また操作つまみ４０を押圧操作してプッシュオンスイッチ部を作動させ、それらの操作で得られる各信号で電子機器の関連付けられた機能を所望の状態に動作させる。
【００１５】
なお、操作つまみ４０の操作パネル面からの突出量は、利用者が操作し易いように１３〜１７ｍｍ程度に設定してある電子機器が多い。
【００１６】
なお、この出願の発明に関連する先行技術文献情報としては、例えば、特許文献１が知られている。
【特許文献１】特開２００５−３０２３５４号公報
【発明の開示】
【発明が解決しようとする課題】
【００１７】
このような車載用の電子機器の入力操作部に使用される回転操作型電子部品において、車両衝突などの事故発生時の安全対策として、電子機器の操作パネル面から突出した操作部分による人体の負傷防止のため、欧州の車載用電子機器では、操作パネル面からの操作つまみ４０の突出量が規定量（９．５ｍｍ）以下となるように要求されている。
【００１８】
しかし、利用者が操作する操作つまみ４０は、突出量が規定量以下であると利用者が操作し難いため、それより突出している場合が多く、操作つまみ４０に過大な荷重が加わった場合は、突出した操作つまみ４０が規定量以下に沈み込むものとする必要があった。
【００１９】
しかしながら、上記従来の回転操作型電子部品としてなる回転操作型エンコーダにおいては、操作つまみ４０に過大な荷重が加わった場合は、回転軸１０がプッシュオンスイッチ部の動作距離分下方に移動するのみで、回転操作型電子部品で沈み込み代を吸収することはできなかった。そのため、電子機器側に沈み込み代を吸収する機構を設けなければならないが、電子機器側では省スペース化と実装密度が高いため対応が困難である場合も多くなっているという課題があった。
【００２０】
本発明は、このような従来の課題を解決するものであり、過大な荷重が操作部分に加わった際に回転操作型電子部品側で操作部分の沈み込み量を確保することができる回転操作型電子部品およびそれを搭載した電子機器を提供することを目的とする。
【課題を解決するための手段】
【００２１】
上記目的を達成するために本発明は、以下の構成を有するものである。
【００２２】
本発明の請求項１に記載の発明は、棒状の中間部の上方端部に操作つまみが装着される略円筒形の操作部を有した回転軸と、上記回転軸の上記中間部を支持する軸受を備え、上記回転軸の上記操作部を回転操作することで電気信号を発生する回転操作型電子部品であって、上記軸受は、上記中間部を突出させている上記軸受の上端から所定寸法下方位置の筒状部外周に環状肉盛部が設けられ、上記回転軸は、上記中間部の上方端部と上記操作部の内壁が薄肉の連結部を介して一体に形成されており、上記操作部は、その内径が上記環状肉盛部の外径より大径に設けられると共に、上記回転軸の上下移動の下端位置において、上記操作部の内面下端が、上記環状肉盛部の最大外径位置より下方に位置し、上記連結部の上下方向の厚みは上記環状肉盛部より上方の上記筒状部の外径より外方位置で最も薄肉になされていて、上記操作部に加わる上記回転軸の軸線方向からの所定以上の荷重に対し、上記連結部で破断するようになされていることを特徴とする回転操作型電子部品としたものであり、過大な荷重に対して回転軸の連結部が破断して操作つまみが装着される操作部が沈み込む構成であるので、搭載される電子機器側で操作つまみの沈み込み量を吸収する機構を設ける必要がなくせるという作用を有する。
【００２７】
請求項２に記載の発明は、請求項１に記載の回転操作型電子部品が搭載されて構成された電子機器であって、上記回転操作型電子部品の操作部に装着された操作つまみは、中央に下方開口の段付き凹部を有し、その段付き凹部の段部から下方が上記操作部に嵌め込まれ、上記段部から上方の凹部内径が、所定以上の荷重で破断する連結部位置より大径になされて、その段部から上方の凹部内の空間が、上記連結部での破断後における回転軸の中間部上方端部の逃げ部としてなる構成とされていることを特徴とする電子機器としたものであり、電子機器の操作つまみに過大な荷重が加わって、回転操作型電子部品の回転軸の連結部が破断した際に、操作つまみが中間軸などに影響されることなく沈み込むものにできるという作用を有する。
【発明の効果】
【００２８】
以上のように本発明によれば、所定以上の過大な荷重が加わった際に突出した操作部が沈み込むことにより、搭載される電子機器の操作つまみの沈み込み量を確保することができる回転操作型電子部品およびそれを搭載した電子機器を提供できるという有利な効果が得られる。
【発明を実施するための最良の形態】
【００２９】
以下、本発明の回転操作型電子部品について、従来の技術と同様に回転操作型エンコーダを例とし、図１〜図９を用いて説明する。なお、従来の技術の項で説明した構成と同一構成の部分には同一符号を付して、詳細な説明を簡略化する。
【００３０】
（実施の形態１）
図１は本発明の第１の実施の形態による回転操作型エンコーダの断面図、図２は同回転操作型エンコーダを搭載した電子機器の要部断面図、図３は同電子機器の操作つまみが沈み込んだ状態の要部断面図である。
【００３１】
図１において、１は上方開口の絶縁樹脂製のケースで、開口凹部底面の中央位置にプッシュオンスイッチ用の中央固定接点２Ａと外側固定接点２Ｂが設けられ、それら一対の固定接点２（２Ａ，２Ｂ）の周囲位置を囲んで設けられている円筒壁１Ａの外周位置底面部にはインクリメンタル式エンコーダ用の接点パターン３が構成されている。そして、それら各固定接点２（２Ａ，２Ｂ）および接点パターン３からそれぞれ導通して伸びる各端子４はケース１の外方へ延出されている。
【００３２】
そして、中央部が間隔をあけて中央固定接点２Ａと対峙した可動接点５の外周部が外側固定接点２Ｂ上に載置され、さらにその可動接点５の外周部上に、中央の円柱部６Ａとその下部に下方開口の円錐状部６Ｂが設けられた弾性体６の円錐状部６Ｂが載せられ、円錐状部６Ｂは上記円筒壁１Ａの内周面で位置規制されてプッシュオンスイッチ部が構成されている。また、７は円筒部７Ａの下方に円形のフランジ部７Ｂを有すると共に、中央孔が非円形の孔形状で形成された樹脂製の回転体であり、フランジ部７Ｂがケース１の開口凹部に回転可能に位置され、フランジ部７Ｂ下面に固定された摺動子８がケース１の接点パターン３上に弾接してインクリメンタル式エンコーダ部が構成されている。
【００３３】
そして、ケース１の上面に軸受２１の鍔部２１Ｂが載置され、その中央位置に上方に突出形成された円筒状の筒状部２１Ｃにおける中孔２１Ａの下方大径部分に上記回転体７の円筒部７Ａが回転可能に組み合わされている。
【００３４】
そして、この軸受２１の上方に位置した上端の操作部２２Ａと略棒状の中間部２２Ｂと中間部２２Ｂ下方の係合部２２Ｃとを有する回転軸２２は、断面円形の中間部２２Ｂが軸受２１の中孔２１Ａの上部で回転動作ならびに上下動作可能に嵌合支持され、駆動駒１１の非円形孔に係合状態で挿通された下方の係合部２２Ｃ下端は上記弾性体６の円柱部６Ａ上面に当接している。また、駆動駒１１は回転軸２２の係合部２２Ｃにカシメ固定され、回転体７の円筒部７Ａ内に位置されている。
【００３５】
そして、回転軸２２は、弾性体６の弾性力により上方に付勢されており、それに結合されている駆動駒１１を介して回転軸２２は回転体７と係合し、回転軸２２が回転操作されると駆動駒１１を介して回転体７が回転されるように構成されている。
【００３６】
また、軸受２１の下面に固定された板バネ１２の曲げ部が、回転体７のフランジ部７Ｂ上面の凹凸部に弾接し、軸受２１の鍔部２１Ｂ上面からケース１を抱え込むようにカバー１３が取り付けられて全体が一体化されている。
【００３７】
以上は、従来の回転操作型電子部品と同じであるが、本実施の形態によるものは、軸受２１の筒状部２１Ｃの長さ、並びに回転軸２２の中間部２２Ｂと操作部２２Ａとの結合部分の構成などが異なっている。
【００３８】
すなわち、軸受２１は、筒状部２１Ｃの長さを従来のものに比べて少し長く設定しており、回転軸２２の中間部２２Ｂと操作部２２Ａとの関係は、軸受２１に嵌合支持され、その中孔２１Ａから突出した中間部２２Ｂの上端部分が連結部２２Ｄとなって略円筒形の操作部２２Ａの内壁部分と繋がった構成としている。この連結部２２Ｄは、円形の略平板形状で、円形の外縁に近づくに従って上下方向の厚みが薄くなるように形成されて操作部２２Ａと繋がっているものとしている。なお、リング状で設けられている最も薄肉の厚み箇所の厚みは、全周に亘って一律な厚みのものとしている。
【００３９】
そして、連結部２２Ｄの最も薄肉の位置は、軸受２１の筒状部２１Ｃの外径より大きい箇所でなるものとして設定している。したがって、略円筒形の操作部２２Ａの内径も軸受２１の筒状部２１Ｃ外径より大きくなっている。
【００４０】
このように構成された回転操作型エンコーダの動作は、従来のものと同じであるため説明は省略する。
【００４１】
次に、本発明の回転操作型電子部品としての回転操作型エンコーダを搭載して構成した電子機器について説明する。
【００４２】
図２において、３２は上記回転操作型エンコーダをはんだ付け固定した配線基板で、その回転操作型エンコーダの操作部２２Ａには操作つまみ３０が装着され、電子機器の操作パネル３１から上記操作つまみ３０の上方部分が突出している。この操作つまみ３０は、電子機器の利用者が指でつまんで操作しやすい寸法である１５ｍｍ程度、操作パネル３１から突出している。
【００４３】
操作つまみ３０は、下面中央に下方開口の段付き凹部３０Ａを有しており、その段付き凹部３０Ａの段部から下方が上記操作型エンコーダの操作部２２Ａの外周を覆うように嵌め込まれている。そして、上記段部から上方の凹部は内径が上記操作部２２Ａの内径と同じ大きさかそれより大径に形成され、かつ深さが後述する操作つまみの沈み込み量より深く設けられている。
【００４４】
上記構成とされた電子機器は、従来同様に、操作つまみ３０を回転することにより回転操作型エンコーダのインクリメンタル式エンコーダ部を作動させ、押圧操作して同プッシュオンスイッチ部を作動させて使用される。
【００４５】
このようにして電子機器に搭載された当該回転操作型エンコーダは、操作つまみ３０部分に対し、回転軸２２の軸線方向からの所定以上の過大な荷重が加わった際には、上記回転軸２２の連結部２２Ｄの最も薄肉になされた部分が破断して、図３に示すように、操作部２２Ａと一緒に操作つまみ３０が操作パネル３１内に沈み込むものにできる。なお、その停止位置としては、同図に示すように、軸受２１上の所定箇所に操作部２２Ａの下端が当接して停止される構成とするとよい。
【００４６】
このとき、操作つまみ３０の段付き凹部３０Ａの段部は操作部２２Ａの上面に当接しているが、上述したように、段部から上方の凹部内径は略円筒形の操作部２２Ａの内径と同じかそれより大径で、しかもその段部より上方の凹部の深さは、操作つまみ３０の必要な沈み込み量より深い深さの逃げ部としてなる構成になっているため、過大な荷重を受けて連結部２２Ｄが破断した際に、操作つまみ３０および操作部２２Ａは軸受２１の筒状部２１Ｃに影響されることなく下方に沈み込み、回転軸２２の中間部２２Ｂ上端に残った連結部２２Ｄ上面が操作つまみ３０に突き当たることもない。そして、上述したように軸受２１の筒状部２１Ｃの長さも従来のものより長く設けているため、操作つまみ３０の沈み込み量も十分に確保できる。なお、上記逃げ部の径設定であれば、所定以上の過大な荷重で破断する連結部２２Ｄ位置から間隙の余裕が取れて好ましいが、少なくとも上記荷重で破断する連結部２２Ｄ位置より大径設定とされた逃げ部の構成であってもよい。
【００４７】
このように本実施の形態によれば、過大な荷重が操作つまみ３０（回転軸２２の操作部２２Ａ）に加わった際に、連結部２２Ｄが破断して操作つまみ３０が大きく沈み込むことによって、操作パネル３１面からの操作つまみ３０の突出量が少なくなるものにできる。このとき、軸受２１の筒状部２１Ｃの長さを、必要とする操作つまみ３０の沈み込み量に合わせて設定しておけば、その対応が可能で、搭載する電子機器側では沈み込み量を吸収する構成を設けなくても済む。
【００４８】
なお、回転軸２２の操作部２２Ａと中間部２２Ｂとを繋ぐ連結部２２Ｄを図４に示す形態としても良い。
【００４９】
つまり、その形態としては、図４に示すように、回転軸２５の操作部２５Ａと中間部２５Ｂとを繋ぐ連結部２５Ｄに、円周方向に沿って複数の貫通孔２５Ｅを等間隔に設けた形態のものである。図示したものは、貫通孔２５Ｅを４箇所設けて、連結部２５Ｄが９０度間隔の４箇所で繋がっているものとしている。なお、連結部２５Ｄの設置数や貫通孔２５Ｅ形状などは、連結部２５Ｄが破断する荷重の設定値を勘案して適宜決定すれば良い。
【００５０】
当該貫通孔２５Ｅを有するものであっても、操作部２５Ａに加わる回転軸２５の軸線方向からの所定以上の荷重に対し、上記連結部２５Ｄで破断するものに構成することができる。なお、この構成の回転軸２５であれば、連結部２５Ｄの肉厚を極端に薄くしなくても良いため、回転軸２５の製作上での管理が容易で、また回転軸２５単体での部品取り扱いの際に連結部２５Ｄに部分的に加わる荷重での破損なども低減化できるので、回転軸２５の取り扱い性に優れて生産効率も向上するという効果も期待できる。
【００５１】
なお、上記には、二つの構成事例を説明したが、両者の思想を組み合わせたものとしてもよい。
【００５２】
さらに、上記説明の図１〜図４では、回転軸２２，２５の操作部２２Ａ、２５Ａの上面は、薄肉とした連結部２２Ｄ，２５Ｄの外側となる外周部分を上方に突出した円筒形状のものを示したが、図５の要部断面図に示すように、回転軸２７を亜鉛合金などからなるダイカスト成形により形成し、この回転軸２７の操作部２７Ａ上面を平面形状としても良い。
【００５３】
この亜鉛ダイカストからなる回転軸２７の構成であれば、通常使用における所定の強度では変形が少なく、連結部２７Ｄの破断もないが、衝撃などによる過大な荷重が加わった際は、薄肉とした連結部２７Ｄで破断するものとして材料的にも好適で、かつ、操作部２７Ａ上面が単純な形状であるので、ダイカスト成形用金型の構造を簡素なものにできる。
【００５４】
そして、この回転軸２７の構成であれば、操作部２７Ａの上面外周端から薄肉とした連結部２７Ｄの根元までが同一面に形成できるため、前述したものよりも幅広のリング状の範囲で、操作つまみ３３との係合状態に組み込めて好ましい。
【００５５】
（実施の形態２）
以下に実施の形態２について説明する。なお、実施の形態１と同一構成の部分には同一符号を付して、詳細な説明を省略する。
【００５６】
図６は本発明の第２の実施の形態による回転操作型エンコーダの要部断面図であり、同図において、２６は軸受であり、筒状部２６Ｃ上端から所定寸法下方位置の外周全周に環状肉盛部２６Ａが突設されている。この環状肉盛部２６Ａは、垂直断面が円弧状に突出し、円弧状の水平方向頂点部が最大外径位置となり、その位置から下方は筒状部２６Ｃの外周に向かう傾斜面に形成されている。
【００５７】
そして、２８は回転軸で、軸受２６の筒状部２６Ｃから上方に突出した中間部２８Ｂの上端に連結部２８Ｄを介して略円筒形の操作部２８Ａが備えられており、この操作部２８Ａの内径は上記軸受２６の環状肉盛部２６Ａの外径より大径に設けられており、連結部２８Ｄの最も厚みの薄い薄肉位置は、軸受２６の筒状部２６Ｃ外径より外方位置に設けられている。
【００５８】
そして、操作部２８Ａの内面下端位置は、プッシュオンスイッチ部の動作距離だけ回転軸２８が下方に移動した上下移動の下端位置において、環状肉盛部２６Ａの最大外径位置より下方となる位置になるように設けられている。また、操作部２８Ａには、破線で示す操作つまみ３０が装着される。
【００５９】
なお、プッシュオンスイッチ部を備えていない状態、つまり回転軸が上下移動しない形態の回転操作型エンコーダであれば、荷重が加わっていない通常状態で操作部の内面下端位置が環状肉盛部の最大外径位置より下方位置であれば良い。
【００６０】
このように構成された当該実施の形態による回転操作型エンコーダの動作も従来のものと同じであるため説明は省略する。
【００６１】
次に、車載用電子機器等に搭載された回転操作型エンコーダは、傾斜したダッシュボード面にその電子機器が装着された際には、車両衝突などの事故発生時に、回転軸２８の軸線方向に対し傾斜した方向から過大な荷重が操作部２８Ａに加わることが想定される。以下に、このような状態で想定を超える過大な荷重が操作部２８Ａに加わった場合について説明する。
【００６２】
図７は斜め方向からの荷重で連結部が破断しかけた状態の回転操作型エンコーダの要部断面図であり、この図７に示すように、矢印で示す斜め方向からの荷重によって、まずプッシュオンスイッチ部の動作距離だけ回転軸２８が沈み込んだ後、機械的強度の最も弱い連結部２８Ｄが部分的に破断しながら、中間部２８Ｂ上端の中心を傾斜軸として操作部２８Ａは荷重の加わった側が沈み、その逆側が浮いたようになって傾く。
【００６３】
この状態で、荷重の加わった側の操作部２８Ａの内面下端は、軸受２６の環状肉盛部２６Ａの最大外径位置より下方に位置する。つまり、操作部２８Ａは、内面下端よりも若干上方位置の内面が環状肉盛部２６Ａの下方側の傾斜面に当接するようになる。ここに、上記下方側の傾斜面については、上記状態で、操作部２８Ａの内面下端が当接しない傾斜状態のもので設けている。
【００６４】
そして、さらに荷重が加わると、部分的に破断した連結部２８Ｄが完全に破断して操作部２８Ａが中間部２８Ｂから分離し、操作部２８Ａ内周の当接箇所が上記傾斜面を摺接しながら操作部２８Ａは下方に落ち込む。このときも操作部２８Ａの内面下端はその下方傾斜面に当接しないので、上記移動状態はスムーズになされる。
【００６５】
そして、連結部２８Ｄを軸受２６の筒状部２６Ｃ外径より外方位置で完全に破断するものに設定しているため、最終状態では、図８の要部断面図に示したように、筒状部２６Ｃを上方に突出させ、環状肉盛部２６Ａに破断した連結部２８Ｄ外周面が当接して停止する。
【００６６】
ここで、軸受２６の環状肉盛部２６Ａの突設位置は、搭載された電子機器の操作つまみ３０の沈み込み量を確保できるように、筒状部２６Ｃ上端から所定寸法下方位置に設けている。
【００６７】
なお、この沈み込み量を確保するため、連結部２８Ｄの破断位置を、環状肉盛部２６Ａの最大外径より外方となる位置になるように関連寸法を設定して、上記実施の形態１（図３参照）で述べたように、下方に落ち込む操作部２８Ａの下端が軸受２６の所定箇所に当接して操作部２８Ａが停止するようにしてもよい。
【００６８】
このように本実施の形態によれば、回転軸２８の軸線方向に対し傾斜した方向からの過大な荷重に対して、回転軸２８の操作部２８Ａが斜めになって連結部２８Ｄが破断しても、操作部２８Ａの内面箇所が軸受２６の環状肉盛部２６Ａの下方傾斜面に当接して滑るように下方にずれていくので、軸受２６の外周面に操作部２８Ａ内面下端がくい込むこともなく、斜め方向からの荷重によっても連結部２８Ｄが完全に破断して操作部２８Ａが沈み込むものにできる。
【００６９】
なお、上述の軸受２６に環状肉盛部２６Ａを突設する構成以外に、図９の要部断面図に示す構成にしてもよい。
【００７０】
図９に示すものは、回転軸２９として、その中間部２９Ｂ上端に連結部２９Ｄを介して繋がった操作部２９Ａの内面下端に円弧状の面取りが設けられたものを用いている。その他の構成部分は実施の形態１で説明したものと同じである。
【００７１】
この構成によっても、回転軸２９の軸線方向に対し傾斜した方向からの過大な荷重に対して、操作部２９Ａが斜めになって、その内面下端が軸受２１の筒状部２１Ｃ外周面に当接しても、そこに円弧状の面取りが設けられているので、操作部２９Ａ内面下端が軸受２１の筒状部２１Ｃの外周面にくい込むことなく下方にずれていき、連結部２９Ｄが完全に破断して操作部２９Ａが沈み込むものにできる。
【００７２】
さらに、図示はしないが、回転軸の操作部の内面下端に傾斜面を設けても良い。この傾斜面は、斜め方向からの過大な荷重によって回転軸の連結部が部分的に破断して操作部が傾き、その内面下端が軸受の筒状部外周面に当接した際の操作部の傾きとほぼ同じ角度に設定されていれば良く、内面下端が筒状部外周面に当接して滑るように下方にずれていき、連結部が完全に破断すれば、操作部が下方に沈み込むようにできる。
【００７３】
なお、以上のいずれのものも、実施の形態１の図５の要部断面図で説明したものと同様に、回転軸をダイカスト成形により形成し、その操作部上面を平面形状としても良い。
【００７４】
また、本発明は、上記に説明したプッシュオンスイッチ部付きの回転操作型エンコーダのみに適用が限られるものではなく、回転操作のみが可能な構成とされた回転操作型エンコーダやその他の回転操作型電子部品の全般、さらには回転操作型以外のものであっても操作部に操作つまみを取り付けて用いる構成のものであれば本発明を適用することができる。
【産業上の利用可能性】
【００７５】
本発明による回転操作型電子部品およびそれを搭載した電子機器は、所定以上の過大な荷重が加わった際に回転操作型電子部品の操作部が沈み込むことにより、搭載される電子機器の操作つまみの沈み込み量を確保することができるという特徴を有し、カーオーディオなどの車載用電子機器の入力操作部等に有用である。
【図面の簡単な説明】
【００７６】
【図１】本発明の第１の実施の形態による回転操作型エンコーダの断面図
【図２】同回転操作型エンコーダを搭載した電子機器の要部断面図
【図３】操作つまみが沈み込んだ状態の電子機器の要部断面図
【図４】他の形態の回転軸の上面図
【図５】他の形態の回転軸を備えた回転操作型エンコーダの要部断面図
【図６】本発明の第２の実施の形態による回転操作型エンコーダの要部断面図
【図７】同斜め方向からの荷重で連結部が破断しかけた状態の回転操作型エンコーダの要部断面図
【図８】図７の状態から連結部が完全に破断した状態の回転操作型エンコーダの要部断面図
【図９】操作部の内面下端に円弧状面取りが設けられた形態の回転操作型エンコーダの要部断面図
【図１０】従来の回転操作型エンコーダの断面図
【符号の説明】
【００７７】
１  ケース
１Ａ  円筒壁
２  固定接点
２Ａ  中央固定接点
２Ｂ  外側固定接点
３  接点パターン
４  端子
５  可動接点
６  弾性体
６Ａ  円柱部
６Ｂ  円錐状部
７  回転体
７Ａ  円筒部
７Ｂ  フランジ部
８  摺動子
１１  駆動駒
１２  板バネ
１３  カバー
２１，２６  軸受
２１Ａ  中孔
２１Ｂ  鍔部
２１Ｃ，２６Ｃ  筒状部
２２，２５，２７，２８，２９  回転軸
２２Ａ，２５Ａ，２７Ａ，２８Ａ，２９Ａ  操作部
２２Ｂ，２５Ｂ，２８Ｂ，２９Ｂ  中間部
２２Ｃ  係合部
２２Ｄ，２５Ｄ，２７Ｄ，２８Ｄ，２９Ｄ  連結部
２５Ｅ  貫通孔
２６Ａ  環状肉盛部
３０，３３  操作つまみ
３０Ａ  段付き凹部
３１  操作パネル
３２  配線基板
【図１】
0005233501.tif 000002
【図２】
0005233501.tif 000003
【図３】
0005233501.tif 000004
【図４】
0005233501.tif 000005
【図５】
0005233501.tif 000006
【図６】
0005233501.tif 000007
【図７】
0005233501.tif 000008
【図８】
0005233501.tif 000009
【図９】
0005233501.tif 000010
【図１０】
0005233501.tif 000011